(57)【要約】【課題】相対向するように設けられた窓部の内側に塵埃が付着することを低コストで防止することができる食器洗い機を提供する。【解決手段】食器Ａを出し入れするための開口部２１を有する洗浄槽２と、間隙が生ずるように対向配置された内壁６１及び外壁６２を有し、開口部２１を閉塞する上扉体６と、相対向するように外壁６２及び内壁６１に夫々配された透光性の窓部とを備え、洗浄槽２内に供給された洗浄水を食器Ａに対して噴射する食器洗い機において、外壁６２及び内壁６１との間に、塵埃を接着する角柱状又はシート状の粘着体８、例えば両面テープを配する。【選択図】図１
2008000421.tif 000002
【特許請求の範囲】
【請求項１】
筐体内部に配された洗浄槽と、相対向するように該洗浄槽及び前記筐体に夫々配された透光性の窓部とを備える食器洗い機において、
前記洗浄槽と前記筐体との間に塵埃を接着する粘着体を備える
ことを特徴とする食器洗い機。
【請求項２】
前記窓部と前記洗浄槽又は前記筐体とは別体であり、
前記粘着体は、
前記窓部と前記洗浄槽又は前記筐体とを接着している
ことを特徴とする請求項１に記載の食器洗い機。
【請求項３】
食器を出し入れするための開口部を有する洗浄槽と、間隙が生ずるように対向配置された内壁及び外壁を有し、前記開口部を閉塞する扉体と、相対向するように前記内壁及び外壁に夫々配された透光性の窓部とを備える食器洗い機において、
前記内壁及び外壁の間に塵埃を接着する粘着体を備える
ことを特徴とする食器洗い機。
【請求項４】
前記扉体は複数の部材からなり、
前記粘着体は各部材を接着している
ことを特徴とする請求項３に記載の食器洗い機。
【請求項５】
前記粘着体は、
前記窓部の下側に配されている
ことを特徴とする請求項１乃至請求項４のいずれか一つに記載の食器洗い機。
【請求項６】
前記粘着体は、
前記窓部を囲繞するように配されている
ことを特徴とする請求項１乃至請求項４のいずれか一つに記載の食器洗い機。
【請求項７】
前記粘着体は、
前記窓部を透過する光路外に配されている
ことを特徴とする請求項１乃至請求項６のいずれか一つに記載の食器洗い機。
【発明の詳細な説明】
【技術分野】
【０００１】
本発明は、洗浄槽及び筐体、又は扉体に配された透光性の窓部を備える食器洗い機に関する。
【背景技術】
【０００２】
食器洗い機は、筐体内部に配された洗浄槽、及び食器を出し入れするための開口部を開閉可能に閉塞する扉体を備えている。扉体は、間隙が生ずるように対向配置された内壁及び外壁を有しており、内壁及び外壁には、食器の洗浄具合、食器への洗浄水の当たり具合などを目視可能にすべく、透光性の窓部が相対向するように設けられている（例えば、特許文献１）。
【０００３】
一方、同様の目的で、透光性の窓部を相対向するように洗浄槽及び筐体に設けた食器洗い機が提案されている。
【特許文献１】特開２００５−１１０９０３号公報
【発明の開示】
【発明が解決しようとする課題】
【０００４】
しかしながら、従来の食器洗い機においては、製造工程で筐体又は扉体内部に残留又は侵入した塵埃が窓部の内側に付着し、使用者に不快感を与えるという問題があった。
筐体又は扉体内部に残留又は侵入した塵埃を使用者が除去することは困難であり、使用者は、食器洗い機の分解清掃又は交換を業者に依頼する必要がある。
【０００５】
なお、クリーンルーム又は静電気を除去する除電ブロアを用いた場合、製造工程における塵埃の残留を防止することができるが、設備導入に多大な費用を要する。
また、筐体又は扉体内部に残留した塵埃を検査工程で取り除くべく、食器洗い機を分解又は扉体を交換することも可能であるが、製造歩留まりが低減し、コストアップの要因となる。
更に、食器洗い機又は扉体を分解した際に他の異物が侵入する虞もある。
【０００６】
本発明は斯かる事情に鑑みてなされたものであり、塵埃を接着する粘着体を洗浄槽と筐体との間に備えることにより、洗浄槽と筐体との間に残留又は侵入した塵埃を接着し、塵埃が窓部の内側に付着することを防止することができる食器洗い機を提供することを目的とする。
【０００７】
本発明の他の目的は、別体で構成した洗浄槽及び窓部、又は別体で構成した筐体及び窓部を粘着体で接着するように構成することにより、粘着体を各部材の接着手段と塵埃の除去手段とに兼用することができ、より低コストで窓部に塵埃が付着することを防止することができる食器洗い機を提供することにある。
【０００８】
本発明の他の目的は、塵埃を接着する粘着体を、扉体を構成する内壁と外壁との間に備えることにより、内壁と外壁との間に残留又は侵入した塵埃を接着し、塵埃が窓部の内側に付着することを防止することができる食器洗い機を提供することにある。
【０００９】
本発明の他の目的は、扉体を構成する複数の部材を粘着体で接着するように構成することにより、粘着体を各部材の接着手段と塵埃の除去手段とに兼用することができ、より低コストで窓部に塵埃が付着することを防止することができる食器洗い機を提供することにある。
【００１０】
本発明の他の目的は、粘着体を窓部の下側に配することにより、窓部から重力で落下した塵埃を接着し、該塵埃の窓部への再付着を防止することができる食器洗い機を提供することにある。
【００１１】
本発明の他の目的は、窓部を囲繞するように粘着体を配することにより、窓部周縁外側で塵埃を接着し、塵埃が窓部に付着することをより効果的に防止することができる食器洗い機を提供することにある。
【００１２】
本発明の他の目的は、窓部を透過する光路外に粘着体を配することにより、塵埃を接着した粘着体を目視不能にし、該粘着体が使用者に不快感を与えることを防止することができる食器洗い機を提供することにある。
【課題を解決するための手段】
【００１３】
本発明に係る食器洗い機は、筐体内部に配された洗浄槽と、相対向するように該洗浄槽及び前記筐体に夫々配された透光性の窓部とを備える食器洗い機において、前記洗浄槽と前記筐体との間に塵埃を接着する粘着体を備えることを特徴とする。
【００１４】
本発明にあっては、洗浄槽が筐体内に配されることによって生じた洗浄槽及び筐体の間隙に、塵埃が残留又は侵入する虞がある。しかし、洗浄槽と筐体との間に備えられた粘着体は、前記塵埃を接着する。従って、残留又は侵入した塵埃が窓部の内側に付着することを防止することができる。
【００１５】
本発明に係る食器洗い機は、前記窓部と前記洗浄槽又は前記筐体とが別体であり、前記粘着体は、前記窓部と前記洗浄槽又は前記筐体とを接着していることを特徴とする。
【００１６】
本発明にあっては、洗浄槽と窓部とが別体であり、粘着体が洗浄槽と窓部とを接着している。筐体と窓部とが別体である場合も同様に、粘着体が筐体と窓部とを接着している。従って、粘着体は、各部材を接着する機能と、塵埃を接着する機能とを発揮する。
【００１７】
本発明に係る食器洗い機は、食器を出し入れするための開口部を有する洗浄槽と、間隙が生ずるように対向配置された内壁及び外壁を有し、前記開口部を閉塞する扉体と、相対向するように前記内壁及び外壁に夫々配された透光性の窓部とを備える食器洗い機において、前記内壁及び外壁の間に塵埃を接着する粘着体を備えることを特徴とする。
【００１８】
本発明にあっては、扉体を構成している内壁と外壁との間隙に、塵埃が残留又は侵入する虞がある。しかし、内壁と外壁との間に残留又は侵入した塵埃を粘着体が接着する。従って、残留又は侵入した塵埃が窓部の内側に付着することを防止することができる。
【００１９】
本発明に係る食器洗い機は、前記扉体が複数の部材からなり、前記粘着体は各部材を接着していることを特徴とする。
【００２０】
本発明にあっては、複数の部材からなる扉体を備えており、粘着体が各部材を接着している。従って、粘着体は、各部材を接着する機能と、塵埃を接着する機能とを発揮する。
【００２１】
本発明に係る食器洗い機は、前記粘着体が、前記窓部の下側に配されていることを特徴とする。
【００２２】
本発明にあっては、粘着体が窓部の下側に配されている。従って、粘着体は、窓部から落下した塵埃を接着する。
【００２３】
本発明に係る食器洗い機は、前記粘着体が、前記窓部を囲繞するように配されていることを特徴とする。
【００２４】
本発明にあっては、粘着体が窓部を囲繞している。従って、粘着体は、窓部の周縁、上下方向又は横方向外側で塵埃を接着することができる。
【００２５】
本発明に係る食器洗い機は、前記粘着体が、前記窓部を透過する光路外に配されていることを特徴とする。
【００２６】
本発明にあっては、窓部を透過する光路外に粘着体が配されている。従って、塵埃を接着した粘着体が使用者に目視されることはない。
【発明の効果】
【００２７】
本発明によれば、洗浄槽と筐体との間に残留又は侵入した塵埃を接着し、塵埃が窓部の内側に付着することを防止することができる。
【００２８】
本発明によれば、粘着体を各部材の接着手段と塵埃の除去手段とに兼用することができ、より低コストで窓部に塵埃が付着することを防止することができる。
【００２９】
本発明によれば、扉体の内壁と外壁との間に残留又は侵入した塵埃を接着し、塵埃が窓部の内側に付着することを防止することができる。
【００３０】
本発明によれば、粘着体を扉体の各部材の接着手段と塵埃の除去手段とに兼用することができ、より低コストで窓部に塵埃が付着することを防止することができる。
【００３１】
本発明によれば、窓部から重力で落下した塵埃を接着し、該塵埃の窓部への再付着を防止することができる。
【００３２】
本発明によれば、窓部周縁外側で塵埃を接着し、塵埃が窓部に付着することをより効果的に防止することができる。
【００３３】
本発明によれば、塵埃を接着した粘着体を目視不能にし、該粘着体が使用者に不快感を与えることを防止することができる。
【発明を実施するための最良の形態】
【００３４】
以下、本発明をその実施の形態を示す図面に基づいて詳述する。
（実施の形態１）  
図１は、本発明の実施の形態１に係る食器洗い機の略示側断面図、図２は、食器洗い機の略示正面断面図である。図中２は、筐体１内部に間隙が生ずるように配された略直方体の洗浄槽である。筐体１及び洗浄槽２は、食器Ａを出し入れするための矩形の開口部２１を正面側に形成しており、開口部２１を上扉体６及び下扉体７にて閉塞するように構成されている。また、開口部２１の下方には操作パネル９３が配設されている。操作パネル９３は、洗浄開始ボタン、洗浄停止ボタン、洗浄コース選択ボタン等を備えている。
【００３５】
洗浄槽２は、床への載置面１０に対して正面側へ下り傾斜した略矩形の底板２２を有しており、底板２２の周縁部分には載置面１０に対して略垂直の背面壁２３、側壁２４及び正面壁２５が形成され、背面壁２３及び側壁２４の上端には天板２６が形成されている。側壁２４の正面側端部は、床への載置面１０と略直交する垂直面２１ａ、垂直面２１ａの上部から洗浄槽２の後方へ傾斜する傾斜面２１ｂを有しており、正面壁２５の上端部及び天板２６の正面側端部と共に開口部２１を構成している。
【００３６】
側壁２４には、食器Ａを載せた食器かご３を支持する図示しない支持レールが形成されており、底板２２には、食器かご３に載せられた食器Ａに洗浄水を噴射する複数の噴射ノズル４、４が横方向に並設されている。また、底板２２の正面側には、排水口２７が凹設されており、側壁２４における排水口２７の入口付近には、洗浄工程で洗浄水を加熱し、乾燥工程で食器Ａを乾燥させるためのヒータ５が突設されている。底板２２と筐体１との間には、排水口２７に貯留された洗浄水を噴射ノズル４、４へ供給する洗浄ポンプ９２、洗浄ポンプ９２の駆動を制御する図示しない制御部が配設されている。洗浄ポンプ９２は、正逆回転可能であり、逆回転することで洗浄水を洗浄槽２外へ排出するように構成されている。
【００３７】
制御部は、例えばマイクロコンピュータからなり、洗浄ポンプ９２による洗浄水の噴射、ヒータ５の加熱等を制御することにより、洗浄工程、すすぎ工程、乾燥工程を順次実行するように構成されている。
【００３８】
より具体的には、操作パネル９３の洗浄開始ボタンが押圧された場合、制御部は、図示しない給水弁を開閉することによって、洗浄水を洗浄槽２に供給する。そして、制御部は、洗浄ポンプ９２を駆動し、ヒータ５への通電を開始させることで、食器Ａを洗浄する。洗浄ポンプ９２は洗浄水を加圧して、噴射ノズル４、４に供給し、洗浄水を食器Ａに噴射させる。食器Ａに噴射された洗浄水は、排水口２７、洗浄ポンプ９２を通じて、再び洗浄ノズルに供給され、洗浄槽２内を循環する。次いで、制御部は、洗浄ポンプ９２の駆動、給水弁の開閉を繰り返して食器Ａをすすぎ、洗浄水の排水後にヒータ５への通電を開始させて食器Ａを乾燥させる。
【００３９】
上扉体６は、各側壁２４の正面側端部に倣い、開口部２１の上半分を覆うように形成されており、２本の板状の上扉支持腕９１（図３参照）によって上下回動可能に支持されている。洗浄槽２を構成する両側壁２４の外側、上方の背面寄り部分には、図示しない枢軸が突設されており、各枢軸によって上扉支持腕９１の基部が枢支されている。
【００４０】
図３は、上扉体６の略示拡大側断面図、図４は食器洗い機の略示正面図である。上扉体６は、側壁２４の傾斜面２１ｂに倣って傾斜する傾斜部６ａと、傾斜部６ａに連なり、側壁２４の垂直面２１ａに倣う垂直部６ｂとを有している。
【００４１】
傾斜部６ａは、洗浄槽２側を臨む内壁６１と、洗浄槽２の外部に露出した外壁６２とを備え、内壁６１及び外壁６２は所定の間隙が生ずるように相対向している。内壁６１の下部には底部６３が外壁６２側へ延設されており、底部６３には外壁６２の下端部が密着している。また、内壁６１及び外壁６２の上端には上扉体６の上側を覆う天部６４が設けられており、上扉体６の横方向両側も天部６４に連続する側部によって覆われている。
【００４２】
また、内壁６１及び外壁６２の略中央部には、洗浄槽２内の食器Ａを目視可能にすべく、横長略矩形をなす透光性の窓部６１ａ、６２ａが夫々設けられており、窓部６１ａ、６２ａの周縁には非透光性の枠部６１ｂ、６２ｂが形成されている。窓部６１ａ、６２ａは、洗浄槽２の横幅と略同一の横幅と、食器Ａを洗浄槽２の外部から視認するために必要な所定長の縦幅とを有している。更に、傾斜部６ａを構成する底部６３及び枠部６２ｂには、塵埃を接着する粘着体８が接着されている。粘着体８は、窓部６１ａ、６２ａの横幅より短い横長の角柱状である。
【００４３】
垂直部６ｂは、上扉体６の外形をなすフレーム６５、該フレーム６５の正面側に配された補強板６６、及び該補強板６６の更に正面側に配された化粧板６９を備えている。補強板６６の上部には乾燥工程で発生した蒸気を排出する排気口６７が設けられている。排気口６７の洗浄槽２側には、洗浄水が排気口６７を通じて外部へ漏れ出ることを防止するために排気口カバー６８が設けられている。
【００４４】
下扉体７は、図１に示すように、各側壁２４の正面側端部に倣って開口部２１の下半分を覆うように形成されており、洗浄槽２の側壁２４に枢支されている。また、下扉体７の正面側における上側、左右方向略中央部には押しボタン式の開扉ボタンが設けられている。
【００４５】
このように構成された食器洗い機にあっては、上扉体６の内壁６１と外壁６２との間に塵埃が残留又は侵入した場合であっても、該塵埃を粘着体８に接着させることができ、塵埃が窓部６１ａ、６２ａの内側に付着することを低コストで防止することができる。
【００４６】
また、窓部６１ａ、６２ａから重力で落下した塵埃を接着し、該塵埃の窓部６１ａ、６２ａへの再付着を防止することができる。
【００４７】
更に、粘着体８が枠部６２ｂの裏側に接着されているため、塵埃を接着した粘着体８が使用者に目視されることはなく、塵埃を接着した粘着体８が使用者に不快感を与えることを防止することができる。
【００４８】
なお、窓部の下側に粘着体を配しているが、粘着体を窓部の上側、正面側又は背面側に配しても良い。
【００４９】
また、粘着体の形状は角柱状に限定されず、塵埃を接着可能であれば他の形状、例えばシート状であっても良い。
【００５０】
更に、使用者に不快感を与えることを防止すべく、枠部の裏側に粘着体を接着しているが、光路外、つまり使用者が目視不能な箇所に粘着体を配するように構成しても良い。
【００５１】
更にまた、２枚扉の食器洗い機を説明したが、１枚扉の食器洗い機に本発明を適用しても良い。
【００５２】
（実施の形態２）
図５は、本発明の実施の形態２に係る上扉体６の略示拡大側断面図、図６は、食器洗い機の略示正面図である。本発明の実施の形態２に係る食器洗い機は、粘着体２０８の形状及び配置のみが実施の形態１に係る食器洗い機と異なるため以下では主に上記相違点について説明する。
【００５３】
本発明の実施の形態２に係る食器洗い機は、実施の形態１に係る食器洗い機と同様の筐体１、洗浄槽２、上扉体６及び下扉体７等をそなえている。
【００５４】
上扉体６を構成する内壁６１、外壁６２、底部６３、天部６４及び側部は、窓部６１ａ、６２ａを囲繞するように貼着されたシート状の粘着体２０８にて接着保持されている。底部６３に貼着された粘着体２０８部分は底部６３と外壁６２とを接着している。天部６４に貼着された粘着体２０８部分は天部６４と外壁６２とを接着すると共に、天部６４と内壁６１とを接着している。上扉体６の側部に貼着された粘着体２０８部分は、側部と外壁６２、内壁６１とを接着している。
【００５５】
実施の形態２に係る食器洗い機にあっては、粘着体２０８は、窓部６１ａ、６２ａの上下方向又は横方向外側で塵埃を接着し、塵埃が窓部６１ａ、６２ａに付着することを防止することができる。
【００５６】
粘着体２０８を、上扉体６の底部６３及び外壁６２、並びに外壁６２及び天板２６を接着する手段と、塵埃を接着する手段とに兼用することができ、より低コストで窓部６１ａ、６２ａに塵埃が付着することを防止することができる。
【００５７】
実施の形態２に係る食器洗い機の他の構成、作用及び効果は、実施の形態１に係る食器洗い機の構成、作用及び効果と同様であるため、対応する箇所には同様の符号を付して詳細な説明を省略する。
【００５８】
（実施の形態３）
図７は、本発明の実施の形態３に係る食器洗い機の略示側断面図、図８は、食器洗い機の略示正面断面図である。本発明の実施の形態３に係る食器洗い機は、筐体３０１及び洗浄槽３０２に窓部３１４ａ、３２４ａが設けられており、筐体３０１及び洗浄槽３０２の間隙に粘着体３０８が接着されている点が実施の形態１に係る食器洗い機と異なるため以下では主に上記相違点について説明する。
【００５９】
本発明の実施の形態３に係る食器洗い機は、実施の形態１に係る食器洗い機と同様の筐体３０１、洗浄槽３０２、上扉体３０６、下扉体３０７等をそなえている。
【００６０】
洗浄槽３０２の一の側壁３２４と、側壁３２４に対向する筐体３０１の側壁３１４とは間隙を有しており、各側壁３１４、３２４には、食器Ａの洗浄具合、食器Ａへの洗浄水の当たり具合などを目視可能にすべく、略矩形の透光性の窓部３１４ａ、３２４ａが相対向するように設けられている。そして、各窓部３１４ａ、３２４ａの外縁には非透光性の枠部３１４ｂ、３２４ｂが形成されている。
【００６１】
図９は、窓部３２４ａの略示拡大側面図、図１０は、筐体３０１及び洗浄槽３０２に設けられた窓部３１４ａ、３２４ａの略示拡大正面断面図である。
枠部３１４ｂの裏側、つまり枠部３１４ｂの洗浄槽３０２側の面には粘着体３０８が固定されている。粘着体３０８は、窓部３１４ａ、３２４ａの底辺に沿って設けられた角柱状である。
【００６２】
実施の形態３に係る食器洗い機にあっては、洗浄槽３０２と筐体３０１との間に侵入した塵埃を接着し、塵埃が窓部３１４ａ、３２４ａの内側に付着することを低コストで防止することができる。
【００６３】
また、窓部３１４ａ、３２４ａから重力で落下した塵埃を接着し、該塵埃の窓部３１４ａ、３２４ａへの再付着を防止することができる。
【００６４】
更に、粘着体３０８は、非透光性の枠部３１４ｂの裏側に固定されているため、塵埃を接着した粘着体を目視不能にし、該粘着体が使用者に不快感を与えることを防止することができる。
【００６５】
実施の形態３に係る食器洗い機の他の構成、作用及び効果は、実施の形態１に係る食器洗い機の構成、作用及び効果と同様であるため、対応する箇所には同様の符号を付して詳細な説明を省略する。
【００６６】
なお、実施の形態３にあっては、窓部を筐体及び洗浄槽の側壁に設けているが、筐体及び洗浄槽の天側、背面側等に設けても良い。
【００６７】
（実施の形態４）
図１１は、実施の形態４に係る窓部４２４ａの略示拡大側面図、図１２は、筐体４０１及び洗浄槽４０２に設けられた窓部４１４ａ、４２４ａの略示拡大正面断面図である。本発明の実施の形態４に係る食器洗い機は、別体で構成された窓部４１４ａ、４２４ａが粘着体４０８ａ、４０８ｂにて筐体４０１及び洗浄槽４０２に接着されている点が実施の形態１に係る食器洗い機と異なるため以下では主に上記相違点について説明する。
【００６８】
本発明の実施の形態４に係る食器洗い機は、実施の形態１に係る食器洗い機と同様の筐体４０１、洗浄槽４０２、上扉体６、下扉体７等を備えている。
【００６９】
洗浄槽４０２の一の側壁４２４と、側壁４２４に対向する筐体４０１の側壁４１４とは間隙を有しており、各側壁４１４、４２４には食器Ａへの洗浄水の当たり具合などを目視可能にすべく、略矩形の窓孔が対向するように形成されている。窓孔には、窓部４１４ａ、４２４ａを支持する支持枠４１４ｃ、４２４ｃが形成されている。筐体に４０１に形成された支持枠４１４ｃは、窓孔の縁部から洗浄槽４０２側へ突出し、更に窓孔の中心方向へ窓部４１４ａより幅狭になるように延設された突縁部から構成されている。同様に、支持枠４２４ｃは、窓孔の縁部から筐体４０１側へ突出し、更に窓孔の中心方向へ窓部４２４ａより幅狭になるように延設された突縁部から構成されている。
【００７０】
そして、筐体４０１の支持枠４１４ｃと窓部４１４ａとの間には、シート状の粘着体４０８ａが窓部４１４ａを囲繞するように介装されており、粘着体４０８ａは、支持枠４１４ｃと窓部４１４ａとを接着している。また、洗浄槽４０２の支持枠４２４ｃと窓部４２４ａとの間には、シート状の粘着体４０８ｂが窓部４２４ａを囲繞するように介装されており、粘着体４０８ｂは支持枠４２４ｃと窓部４２４ａとを接着している。そして、各窓部４１４ａ、４２４ａの外縁には非透光性の枠部４１４ｂ、４２４ｂが形成され、枠部４１４ｂ、４２４ｂが値着帯４０８ａ，４０８ｂを隠蔽している。
【００７１】
実施の形態４に係る食器洗い機にあっては、粘着体４０８ａ、４０８ｂを窓部４１４ａ、４２４ａと洗浄槽４０２及び筐体４０１とを接着する手段と、塵埃を接着する手段とに兼用することができ、より低コストで窓部４１４ａ、４２４ａに塵埃が付着することを防止することができる。
【００７２】
実施の形態４に係る食器洗い機の他の構成、作用及び効果は、実施の形態１及び実施の形態３に係る食器洗い機の構成、作用及び効果と同様であるため、対応する箇所には同様の符号を付して詳細な説明を省略する。
【図面の簡単な説明】
【００７３】
【図１】本発明の実施の形態１に係る食器洗い機の略示側断面図である。
【図２】食器洗い機の略示正面断面図である。
【図３】上扉体の略示拡大側断面図である。
【図４】食器洗い機の略示正面図である。
【図５】本発明の実施の形態２に係る上扉体の略示拡大側断面図である。
【図６】食器洗い機の略示正面図である。
【図７】本発明の実施の形態３に係る食器洗い機の略示側断面図である。
【図８】食器洗い機の略示正面断面図である。
【図９】窓部の略示拡大側面図である。
【図１０】筐体及び洗浄槽に設けられた窓部の略示拡大正面断面図である。
【図１１】実施の形態４に係る窓部の略示拡大側面図である。
【図１２】筐体及び洗浄槽に設けられた窓部の略示拡大正面断面図である。
【符号の説明】
【００７４】
１  筐体
２  洗浄槽
３  食器かご
４、４  噴射ノズル
５  ヒータ
６  上扉体
７  下扉体
８，２０８，３０８，４０８ａ，４０８ｂ  粘着体
２１  開口部
６１  内壁
６２  外壁
６１ａ、６２ａ，３１４ａ、３２４ａ  窓部
６３  底部
６４  天部
Ａ  食器
【図１】
2008000421.tif 000003
【図２】
2008000421.tif 000004
【図３】
2008000421.tif 000005
【図４】
2008000421.tif 000006
【図５】
2008000421.tif 000007
【図６】
2008000421.tif 000008
【図７】
2008000421.tif 000009
【図８】
2008000421.tif 000010
【図９】
2008000421.tif 000011
【図１０】
2008000421.tif 000012
【図１１】
2008000421.tif 000013
【図１２】
2008000421.tif 000014